(57)【要約】【課題】複数の信号を選択的に送信することができ、優れた操作性を有する送信器および簡単に機能を設定することのできる機能設定方法を提供すること。【解決手段】送信器１は、複数の機能のうちから１つの機能を選択することのできる機能選択部２と、機能選択部２により選択された機能を記憶する記憶部３と、記憶部３に記憶された機能に対応する信号を送信する送信部４と、第１状態と第２状態とを選択する選択部５と、発電部６と、発電部６から電力を発生させる発電実行部７と、選択部５が第１状態のときには、機能選択部２により選択された機能を記憶部３に記憶し、選択部５が第２状態のときには、記憶部３に記憶された機能に対応する信号を送信部４から送信する制御部１２とを有している。制御部１２の駆動は、発電実行部７の操作によって発電部６から発生する電力を用いて行われる。【選択図】図２
2012239145.tif 000002
【特許請求の範囲】
【請求項１】
複数の機能のうちから１つの機能を選択することのできる機能選択部と、
前記機能選択部により選択された機能を記憶する記憶部と、
前記記憶部に記憶された前記機能に対応する信号を送信する送信部と、
前記機能選択部により選択された機能を前記記憶部に記憶させることができる第１状態と、前記記憶部に記憶された機能に対応する前記信号を前記送信部から送信することができる第２状態とを選択する選択部と、
電力を発生させる発電部と、
前記発電部を駆動させ、前記発電部から電力を発生させる発電実行部と、
前記選択部が前記第１状態のときには、前記機能選択部により選択された機能を前記記憶部に記憶し、前記選択部が前記第２状態のときには、前記記憶部に記憶された機能に対応する前記信号を前記送信部から送信する制御部とを有し、
前記制御部による前記記憶部への前記機能の記憶および前記送信部からの前記信号の送信は、それぞれ、前記発電実行部の操作によって前記発電部から発生する電力を用いて行われることを特徴とする送信器。
【請求項２】
前記機能選択部を操作することにより所望の機能を選択し、前記選択部を前記第１状態とした状態で前記発電実行部を操作すると、当該操作によって前記発電部から発生した電力により、前記機能選択部で選択された機能が前記記憶部に記憶され、
前記選択部を前記第２状態とした状態で前記発電実行部を操作すると、当該操作によって前記発電部から発生した電力によって、前記記憶部に記憶された機能に対応する信号が前記送信部から送信される請求項１に記載の送信器。
【請求項３】
前記選択部は、前記発電実行部と連動しており、
前記発電実行部の操作途中で前記第１状態から前記第２状態へ切り替わるように構成されている請求項１に記載の送信器。
【請求項４】
前記発電部は、固定子と、前記固定子に対して回転可能な回転子とを有し、前記発電実行部の操作によって前記回転子が前記固定子に対して回転することにより前記電力を発生させる請求項１ないし３のいずれかに記載の送信器。
【請求項５】
前記発電部は、圧電素子または熱電変換素子を有している請求項１ないし３のいずれかに記載の送信器。
【請求項６】
前記記憶部は、不揮発性の記憶装置によって構成されている請求項１ないし５のいずれかに記載の送信器。
【請求項７】
前記発電部から発生した電力を整流する整流部と、前記整流部で整流された電力を蓄える蓄電部とを有している請求項１ないし６のいずれかに記載の送信器。
【請求項８】
複数の機能のうちから１つの機能を選択することのできる機能選択部と、
前記機能選択部により選択された機能を記憶する記憶部と、
少なくとも、前記機能選択部により選択された機能を前記記憶部に記憶させることができる第１状態をとり得る選択部と、
電力を発生させる発電部と、
前記発電部を駆動させ、前記発電部から電力を発生させる発電実行部とを有し、
前記記憶部への前記機能の記憶は、前記発電実行部の操作によって前記発電部から発生する電力を用いて行われ、
前記機能選択部を操作することにより所望の機能を選択し、前記選択部を前記第１状態とした状態で前記発電実行部を操作することにより、当該操作によって前記発電部から発生した電力によって、前記機能選択部で選択された機能が前記記憶部に記憶されることを特徴とする機能設定方法。
【発明の詳細な説明】
【技術分野】
【０００１】
本発明は、送信器および機能設定方法に関する。
【背景技術】
【０００２】
例えば、従来から、内蔵された発電機から発生した電力を用いて所望の信号を送信する送信器（リモコン）が知られている（例えば、特許文献１参照）。
【０００３】
特許文献１の送信器は、照明器具の駆動ＯＮ／ＯＦＦを制御するものであり、送信器から１種類の信号を送信する度に、照明器具（電子機器）のＯＮ／ＯＦＦが切り替わるように構成されている。このように、特許文献１の送信器では、１種の信号しか送信できないため、例えば、照明の明るさ調節や、色合い調節といった制御を行う場合には、別途、明るさ調節用の送信器、色合い調節用の送信器を用意しなければならない。そのため、１台の照明器具（電子機器）に対して送信器の数が不必要に多くなり、操作の煩雑化を招いてしまうという問題がある。
【先行技術文献】
【特許文献】
【０００４】
【特許文献１】特許第４５８２５９３号公報
【発明の概要】
【発明が解決しようとする課題】
【０００５】
本発明の目的は、複数の信号を選択的に送信することができ、優れた操作性を有する送信器および簡単に機能を設定することのできる機能設定方法を提供することにある。
【課題を解決するための手段】
【０００６】
このような目的は、下記（１）〜（８）の本発明により達成される。
（１）複数の機能のうちから１つの機能を選択することのできる機能選択部と、
前記機能選択部により選択された機能を記憶する記憶部と、
前記記憶部に記憶された前記機能に対応する信号を送信する送信部と、
前記機能選択部により選択された機能を前記記憶部に記憶させることができる第１状態と、前記記憶部に記憶された機能に対応する前記信号を前記送信部から送信することができる第２状態とを選択する選択部と、
電力を発生させる発電部と、
前記発電部を駆動させ、前記発電部から電力を発生させる発電実行部と、
前記選択部が前記第１状態のときには、前記機能選択部により選択された機能を前記記憶部に記憶し、前記選択部が前記第２状態のときには、前記記憶部に記憶された機能に対応する前記信号を前記送信部から送信する制御部とを有し、
前記制御部による前記記憶部への前記機能の記憶および前記送信部からの前記信号の送信は、それぞれ、前記発電実行部の操作によって前記発電部から発生する電力を用いて行われることを特徴とする送信器。
【０００７】
（２）前記機能選択部を操作することにより所望の機能を選択し、前記選択部を前記第１状態とした状態で前記発電実行部を操作すると、当該操作によって前記発電部から発生した電力により、前記機能選択部で選択された機能が前記記憶部に記憶され、
前記選択部を前記第２状態とした状態で前記発電実行部を操作すると、当該操作によって前記発電部から発生した電力によって、前記記憶部に記憶された機能に対応する信号が前記送信部から送信される上記（１）に記載の送信器。
【０００８】
（３）前記選択部は、前記発電実行部と連動しており、
前記発電実行部の操作途中で前記第１状態から前記第２状態へ切り替わるように構成されている上記（１）に記載の送信器。
【０００９】
（４）前記発電部は、固定子と、前記固定子に対して回転可能な回転子とを有し、前記発電実行部の操作によって前記回転子が前記固定子に対して回転することにより前記電力を発生させる上記（１）ないし（３）のいずれかに記載の送信器。
【００１０】
（５）前記発電部は、圧電素子または熱電変換素子を有している上記（１）ないし（３）のいずれかに記載の送信器。
【００１１】
（６）前記記憶部は、不揮発性の記憶装置によって構成されている上記（１）ないし（５）のいずれかに記載の送信器。
【００１２】
（７）前記発電部から発生した電力を整流する整流部と、前記整流部で整流された電力を蓄える蓄電部とを有している上記（１）ないし（６）のいずれかに記載の送信器。
【００１３】
（８）複数の機能のうちから１つの機能を選択することのできる機能選択部と、
前記機能選択部により選択された機能を記憶する記憶部と、
少なくとも、前記機能選択部により選択された機能を前記記憶部に記憶させることができる第１状態をとり得る選択部と、
電力を発生させる発電部と、
前記発電部を駆動させ、前記発電部から電力を発生させる発電実行部とを有し、
前記記憶部への前記機能の記憶は、前記発電実行部の操作によって前記発電部から発生する電力を用いて行われ、
前記機能選択部を操作することにより所望の機能を選択し、前記選択部を前記第１状態とした状態で前記発電実行部を操作することにより、当該操作によって前記発電部から発生した電力によって、前記機能選択部で選択された機能が前記記憶部に記憶されることを特徴とする機能設定方法。
【発明の効果】
【００１４】
本発明にかかる送信器によれば、１つの装置で、複数の信号から所望の信号を選択的に送信することができるため、優れた操作性を発揮することができる。特に、選択部を選択するだけで、記憶部へ記憶する行為と、所望の信号を送信する行為とを選択することができるため、その操作性が優れている。また、１つの発電部によって記憶部への記憶と、信号の送信とを行うことができるため、装置の小型化を図ることができる。また、外部電源を必要としないため、環境に優しい装置となる。また、本発明にかかる送信器は、各種電子機器のリモコンとして好適に利用することができる。
【００１５】
また、本発明の機能設定方法によれば、簡単に、記憶部に機能を設定することができる。
【図面の簡単な説明】
【００１６】
【図１】本発明の送信器の第１実施形態を示す模式的斜視図である。
【図２】図１に示す送信器のブロック図である。
【図３】本発明の送信器の第２実施形態を示す模式的側面図である。
【発明を実施するための形態】
【００１７】
以下、添付図面を参照しつつ、本発明の送信器および機能設定方法の好適な実施形態を説明する。なお、以下では、本発明の送信器を用いて電子機器のリモコン（リモートコントローラ）を構成した場合について説明する。
【００１８】
＜第１実施形態＞
まず、本発明の送信器の第１実施形態について説明する。
【００１９】
図１は、本発明の送信器の第１実施形態を示す模式的斜視図、図２は、図１に示す送信器のブロック図である。
【００２０】
図１に示すリモコン（送信器）１は、外部機器である電子機器に対して所定の信号を無線送信するエネルギー自給式の装置である。電子機器としては、特に限定されず、例えば、テレビ、ビデオ、オーディオ、照明機器等が挙げられるが、以下では、照明機器を代表例に挙げて説明する。
【００２１】
図２に示すように、リモコン１は、機能選択部２、記憶部３、送信部４、選択部５、発電部６、発電実行部７、整流部（整流回路）８、蓄電部９、変圧部１０、放電部１１および制御部１２を有している。
【００２２】
このようなリモコン１は、発電部６により発電された電力によって駆動する。そのため、リモコン１は、外部電源を必要とせず、環境に優しい装置となる。
【００２３】
以下、これらについて順次、詳細に説明する。
（機能選択部２）
機能選択部２は、少なくとも１つのスイッチを備え、前記スイッチの状態によって複数の機能のうちから１つの機能を選択する機能を有している。図１に示すように、本実施形態の機能選択部２は、筐体１００の外部に突出する２つのスイッチ２１、２２で構成されている。
【００２４】
スイッチ２１、２２は、それぞれ、「０」状態と「１」状態とに切り替えることができるスイッチである。機能選択部２は、これらスイッチ２１、２２の状態を選択することにより、４つの機能から１つの機能を選択することができる。すなわち、スイッチ２１、２２の状態を切り替えることにより、（１）スイッチ２１、２２がともに「０」状態の第１機能選択状態、（２）スイッチ２１が「０」状態でスイッチ２２が「１」状態の第２機能選択状態、（３）スイッチ２１が「１」状態でスイッチ２２が「０」状態の第３機能選択状態、（４）スイッチ２１、２２がともに「１」状態の第４機能選択状態から１つの状態を選択することができる。
【００２５】
４つの状態には、それぞれ、異なる機能が割り当てられており、操作者は、スイッチ２１、２２を目的の機能を発揮することのできる状態に操作する。第１〜第４機能としては、特に限定されないが、例えば、照明装置のＯＮ／ＯＦＦを行う機能、照明の明るさを明るくする機能、照明の明るさを暗くする機能、照明装置のタイマーを作動させる機能などが挙げられる。
【００２６】
以上、機能選択部２について説明したが、機能選択部２の構成は、本実施形態に限定されない。例えば、スイッチの数は、本実施形態の２つに限定されず、１つでもよいし、３つ以上であってもよい。また、各スイッチは、２つの状態を切り替えることができるものに限定されず、３つ以上の状態を切り替えることができるものであってもよい。スイッチの数等は、設定する機能の数に応じて適宜選択することができる。例えば、８つの機能を設定したい場合には、２つの状態を切り替えることができるスイッチを３つ設ければよい。
【００２７】
（記憶部３）
記憶部３は、機能選択部２によって選択された機能（情報）を記憶する機能を有している。具体的には、発電実行部７が有する後述するボタン７１を操作したときに、機能選択部２によって選択されている機能を記憶する。なお、記憶部３への機能の書き込みは、発電部６で発電された電力を用いて行われる。
【００２８】
このような記憶部３は、不揮発性の記憶装置で構成されており、記憶部３への電力供給を停止しても、記憶部３に記憶されている機能が消去されることがない。なお、不揮発性の記憶装置としては、特に限定されず、フラッシュメモリ、ＥＥＰＲＯＭ等の公知の不揮発性メモリを用いることができる。
【００２９】
なお、記憶部３には、新しく選択した機能を、その前に選択した機能に上書き保存してもよいし、既に機能を保存している領域とは異なる領域に順次保存してもよい（すなわち、インクリメントして書き込んでもよい）。これにより、記憶部３への機能の記憶を繰り返し行うことができる。
【００３０】
また、機能選択部２により選択され、記憶部３に新たに記憶される機能が、その前（直前）に記憶された機能と同じ場合には、選択された新たな機能の記憶部３への記憶を行わなくてもよい。これにより、記憶部３の容量を小さくすることができ、また、記憶部３の書き込み寿命の延命を図ることができる。
【００３１】
（送信部４）
送信部４は、ＲＦコントローラ４１と、ＲＦコントローラ４１に接続されたアンテナ４２とを有している。
【００３２】
ＲＦコントローラ４１は、制御部１２の制御により、記憶部３に記憶された最新の機能に対応する信号を所定の周波数の信号として発振する。ＲＦコントローラ４１から発振された信号は、アンテナ４２を介して照明機器に無線送信される。このような送信は、発電部６が発電した電力によって行われる。
【００３３】
（選択部５）
選択部５は、機能選択部２により選択された機能を記憶部３に記憶させることができる設定可能状態（第１状態）と、記憶部３に記憶された最新の機能に対応する信号を送信部４から送信することができる送信可能状態（第２状態）とを選択する機能を有している。
【００３４】
図１に示すように、本実施形態の選択部５は、筐体１００の外部に突出し、２つの状態を切り替えることのできるスイッチ５１を有している。このスイッチ５１を操作することにより、設定可能状態と、送信可能状態とを選択することができるようになっている。これにより、選択部５の構成が簡単となる。
【００３５】
（発電部６）
発電部６は、筐体１００に収容されている。発電部６は、自己発電により交流電力を発生させることが可能であり、例えば、外から力（物理的な力、磁力等）が付与された際に前記電力を発生することができる。したがって、この発電部６は、連続してではなく、一過性（一時的）に電力を発生させる。かかる発電部６を用いることにより、リモコン１の小型化を図ることができるとともに、環境に優しい発電（環境発電）が可能となる。
【００３６】
発電部６は、図示しない固定子（ステータ）と、固定子に対して回転可能な図示しない回転子（ロータ）とを有しており、外力によって、回転子を固定子に対して回転させることにより発電する。このような発電部６としては、例えば、ステッピングモータ、ＤＣモータ等の各種モータを用いることができる。
【００３７】
発電部６の１回の発電量は、特に限定されないが、５００〜１５００μＪ／５〜２０ｍｓｅｃ程度であるのが好ましい。
【００３８】
（発電実行部７）
発電実行部７は、発電部６を駆動させ、発電部６から電力を発生させる機能を有している。図１に示すように、本実施形態の発電実行部７は、筐体１００の外部に突出するプッシュ型のボタン７１を有している。このボタン７１は、発電部６の回転子に接続されており、ボタン７１を押し込むことにより、回転子が固定子に対して回転し、発電部６から電力が発生する。
【００３９】
（整流部８）
整流部（整流回路）８は、発電部６に接続されている。整流部８は、発電部６により発生した交流電力を直流電力に整流する機能を有している。整流部８の構成としては、このような機能を発揮することができる限り、特に限定されず、公知の整流回路を用いることができる。
【００４０】
（蓄電部９）
蓄電部９は、整流部８に接続されている。蓄電部９は、例えば、コンデンサ等で構成されており、所定の容量の電力を蓄電することができる。これにより、発電部６により発生した電力を蓄えることができ、制御部１２に安定的に電力を供給することができる。なお、蓄電部９の容量としては、特に限定されないが、５０〜８０μＦ程度とすることができる。
【００４１】
（変圧部１０）
変圧部（ＤＣ／ＤＣコンバータ）１０は、整流部８および蓄電部９にそれぞれ接続されている。変圧部１０は、整流部８から入力された直流電力を所定の電圧値に調整する機能を有している。このような変圧部１０から出力された直流電力は、制御部１２に供給され、これにより、制御部１２が作動する。変圧部１０によって調整すべき電圧値は、特に限定されないが、２〜３Ｖ程度とされる。
【００４２】
（放電部１１）
放電部１１は、蓄電部９および制御部１２に接続されている。このような放電部１１は、前述のようなアンテナ４２からの信号の送信を終え、制御部１２へのそれ以上の電力供給が必要なくなった後に、蓄電部９に蓄電された電力を放電する。なお、このような放電部１１は、必要に応じて設ければよく、例えば、発電部６から発生した電力のほぼ全部が、制御部１２の駆動に用いられるような場合には省略してもよい。
【００４３】
（制御部１２）
制御部１２は、変圧部１０に接続されている。制御部１２は、例えば、マイクロコントローラ（マイコン）で構成されている。このような制御部１２は、発電部６で発電された電力によって作動する。
【００４４】
また、制御部１２は、機能選択部２、記憶部３、送信部４、選択部５および放電部１１に接続されており、選択部５が有するスイッチ５１の状態に応じて、機能選択部２のスイッチ２１、２２の状態（選択された機能）を検知し、その状態（機能）を記憶部３に記憶したり、記憶部３に記憶された最新の機能に対応する信号を送信部４から送信したりする機能を有している。
【００４５】
具体的には、制御部１２は、スイッチ５１の状態を検知し、スイッチ５１が設定可能状態であった場合には、機能選択部２によって選択されている機能（スイッチ２１、２２の状態に対応した機能）を記憶部３に記憶する。一方、スイッチ５１の状態を検知し、スイッチ５１が送信可能状態であった場合には、記憶部３に記憶された最新の機能を読み出し、読み出した機能に対応する信号を送信部４から送信する。このような構成とすることにより、リモコン１の操作がより簡単となる。
以上、リモコン１の構成について詳細に説明した。
【００４６】
次いで、リモコン１の操作手順（本発明の機能設定方法）について説明する。なお、以下では、スイッチ２１、２２の状態と機能との組み合わせを、（０、０）：照明のＯＮ／ＯＦＦを行う第１機能、（０、１）：照明を明るくする第２機能、（１、０）：照明を暗くする第３機能、（１、１）：タイマーを作動させる第４機能とした場合について代表して説明する。
【００４７】
（照明装置のＯＮ／ＯＦＦ）
まず、選択部５のスイッチ５１を操作し、設定可能状態とする。次いで、機能選択部２のスイッチ２１、２２を操作し、スイッチ２１、２２をともに「０」状態とする。これにより、記憶部３に照明のＯＮ／ＯＦＦを行う第１機能を記憶できる状態となる。なお、スイッチ５１の操作と、スイッチ２１、２２の操作の順番は、これに限定されず、まず、スイッチ２１、２２を操作し、その次に、スイッチ５１を操作してもよい（他の機能を設定する場合も同様）。
【００４８】
次いで、ボタン７１を押し込む。これにより、発電部６から電力が発生し、この電力によって制御部１２が作動する。作動した制御部１２は、選択部５のスイッチ５１が選択可能状態であることを検知し、その後、スイッチ２１、２２の状態を検知する。次いで、制御部１２は、スイッチ２１、２２の状態に対応した機能（第１機能）を記憶部３に記憶する。
【００４９】
以上により、記憶部３への第１機能の記憶が完了する。なお、直前に記憶部３に記憶した機能が第１機能である場合には、上記の手順を省略することができる（他の機能を設定する場合も同様）。
【００５０】
次いで、選択部５のスイッチ５１を操作し、送信可能状態とする。次いで、ボタン７１を押し込む。これにより、発電部６から電力が発生し、この電力によって制御部１２が作動する。作動した制御部１２は、選択部５のスイッチ５１が送信可能状態であることを検知し、記憶部３に記憶された最新の機能（第１機能）を読み込み、読み込んだ機能に対応する信号を送信部４から照明装置に送信する。これにより、照明装置のＯＮ／ＯＦＦを行うことができる。
【００５１】
なお、記憶部３に記憶した機能を変更しない限り、すなわち、記憶部３に記憶されている最新の機能が第１機能である限り、スイッチ５１を押す度に、照明装置のＯＮとＯＦＦが繰り返されることとなる。
【００５２】
（照明を明るくする）
まず、選択部５のスイッチ５１を操作し、設定可能状態とする。次いで、機能選択部２のスイッチ２１、２２を操作し、スイッチ２１を「０」状態とし、スイッチ２２を「１」状態とする。これにより、記憶部３に照明装置の明るさを明るくする第２機能を記憶できる状態となる。
【００５３】
次いで、ボタン７１を押し込む。これにより、発電部６から電力が発生し、この電力によって制御部１２が作動する。作動した制御部１２は、選択部５のスイッチ５１が選択可能状態であることを検知し、その後、スイッチ２１、２２の状態を検知する。次いで、制御部１２は、スイッチ２１、２２の状態に対応した機能（第２機能）を記憶部３に記憶する。
以上により、記憶部３への第２機能の記憶が完了する。
【００５４】
次いで、選択部５のスイッチ５１を操作し、送信可能状態とする。次いで、ボタン７１を押し込む。これにより、発電部６から電力が発生し、この電力によって制御部１２が作動する。作動した制御部１２は、選択部５のスイッチ５１が送信可能状態であることを検知し、記憶部３に記憶された最新の機能（第２機能）を読み込み、読み込んだ機能に対応する信号を送信部４から照明装置に送信する。これにより、照明装置の明るさが明るくなる。
【００５５】
なお、照明装置の明るさを多段階で調節できる場合には、スイッチ５１を送信可能状態としたまま、ボタン７１を複数回操作することにより、照明装置の明るさを段階的に明るくすることができる。ボタン７１を操作する度に、記憶部３に記憶された最新の機能（第２機能）が照明装置に送信されるため、このような操作が可能となる。
【００５６】
（照明を暗くする）
まず、選択部５のスイッチ５１を操作し、設定可能状態とする。次いで、機能選択部２のスイッチ２１、２２を操作し、スイッチ２１を「１」状態とし、スイッチ２２を「０」状態とする。これにより、記憶部３に照明装置の明るさを暗くする第３機能を記憶できる状態となる。
【００５７】
次いで、ボタン７１を押し込む。これにより、発電部６から電力が発生し、この電力によって制御部１２が作動する。作動した制御部１２は、選択部５のスイッチ５１が選択可能状態であることを検知し、その後、スイッチ２１、２２の状態を検知する。次いで、制御部１２は、スイッチ２１、２２の状態に対応した機能（第３機能）を記憶部３に記憶する。
以上により、記憶部３への第３機能の記憶が完了する。
【００５８】
次いで、選択部５のスイッチ５１を操作し、送信可能状態とする。次いで、ボタン７１を押し込む。これにより、発電部６から電力が発生し、この電力によって制御部１２が作動する。作動した制御部１２は、選択部５のスイッチ５１が送信可能状態であることを検知し、記憶部３に記憶された最新の機能（第３機能）を読み込み、読み込んだ機能に対応する信号を送信部４から照明装置に送信する。これにより、照明装置の明るさが暗くなる。
【００５９】
なお、照明装置の明るさを多段階で調節できる場合には、スイッチ５１を送信可能状態としたまま、ボタン７１を複数回操作することにより、照明装置の明るさを段階的に暗くすることができる。ボタン７１を操作する度に、記憶部３に記憶された最新の機能（第３機能）が照明装置に送信されるため、このような操作が可能となる。
【００６０】
（タイマーを設定する）
まず、選択部５のスイッチ５１を操作し、設定可能状態とする。次いで、機能選択部２のスイッチ２１、２２を操作し、スイッチ２１、２２をともに「１」状態とする。これにより、記憶部３に照明装置のタイマーを作動させる第４機能を記憶できる状態となる。
【００６１】
次いで、ボタン７１を押し込む。これにより、発電部６から電力が発生し、この電力によって制御部１２が作動する。作動した制御部１２は、選択部５のスイッチ５１が選択可能状態であることを検知し、その後、スイッチ２１、２２の状態を検知する。次いで、制御部１２は、スイッチ２１、２２の状態に対応した機能（第４機能）を記憶部３に記憶する。
以上により、記憶部３への第４機能の記憶が完了する。
【００６２】
次いで、選択部５のスイッチ５１を操作し、送信可能状態とする。次いで、ボタン７１を押し込む。これにより、発電部６から電力が発生し、この電力によって制御部１２が作動する。作動した制御部１２は、選択部５のスイッチ５１が送信可能状態であることを検知し、記憶部３に記憶された最新の機能（第４機能）を読み込み、読み込んだ機能に対応する信号を送信部４から照明装置に送信する。これにより、照明装置のタイマーが作動する。
以上、リモコン１およびその操作手順（機能設定方法）について説明した。
【００６３】
このようなリモコン１によれば、１つの装置で、複数の信号から所望の信号を選択的に送信することができるため、優れた操作性を発揮することができる。特に、選択部５を選択するだけで、記憶部３へ機能を記憶する行為と、送信部４から所望の信号を送信する行為とを選択することができるため、その操作性が優れている。また、１つの発電部６によって記憶部３への記憶と、送信部４からの信号の送信とを行うことができるため、装置の小型化を図ることができる。
【００６４】
ここで、リモコン１は、第４機能を「タイマーを作動させる」機能に変えて、「チャンネルを変更する」機能としてもよい。この機能は、無線送信用のチャンネルを切り替える機能である。以下、当該機能について具体的に説明する。
【００６５】
まず、選択部５のスイッチ５１を操作し、設定可能状態とする。次いで、機能選択部２のスイッチ２１、２２を操作し、スイッチ２１、２２をともに「１」状態とする。これにより、記憶部３にチャンネルを変更（選択）する第４機能を記憶できる状態となる。
【００６６】
次いで、ボタン７１を押し込む。これにより、発電部６から電力が発生し、この電力によって制御部１２が作動する。作動した制御部１２は、選択部５のスイッチ５１が選択可能状態であることを検知し、その後、スイッチ２１、２２の状態を検知する。スイッチ２１、２２がともに「１」の場合には、ボタン７１が押し込まれる度に、チャンネルがｃｈ１、ｃｈ２、ｃｈ３、‥‥ｃｈＮ、ｃｈ１、ｃｈ２、‥‥と順番に切り替わりながら、そのチャンネルが記憶部３に記憶（上書き保存）される。すなわち、操作者は、ボタン７１を所定回数連続して押し込むことにより、所望のチャンネルを選択する。以上により、記憶部３への第４機能の記憶が完了する。
【００６７】
次いで、選択部５のスイッチ５１を操作し、送信可能状態とする。次いで、ボタン７１を押し込む。これにより、発電部６から電力が発生し、この電力によって制御部１２が作動する。作動した制御部１２は、選択部５のスイッチ５１が送信可能状態であることを検知し、記憶部３に記憶された最新の機能（第４機能）を読み込み、読み込んだチャンネルにて無線の送信を行う。
【００６８】
チャンネルの設定方法としては、上記の方法のほか、下記の方法を用いてもよい。すなわち、制御部１２には、複数のチャンネルがテーブルとして記憶されており、スイッチ２１、２２が共に「１」の状態にて、ボタン７１が押し込まれると、その押し込み回数が記憶部３に、例えば、ｉｎｄｅｘ１、ｉｎｄｅｘ２、‥‥ｉｎｄｅｘＮといったインデックスとして記憶される。次いで、選択部５のスイッチ５１を操作し、送信可能状態とする。次いで、ボタン７１を押し込む。これにより、発電部６から電力が発生し、この電力によって制御部１２が作動する。作動した制御部１２は、選択部５のスイッチ５１が送信可能状態であることを検知し、記憶部３に記憶された最新のインデックスに応じたチャンネルを前記テーブルから選択し、選択したチャンネルにて無線の送信を行う。
【００６９】
＜第２実施形態＞
次に、本発明の送信器の第２実施形態について説明する。
図３は、本発明の送信器の第２実施形態を示す模式的側面図である。
【００７０】
以下、第２実施形態について説明するが、前述した第１実施形態との相違点を中心に説明し、同様の事項については、その説明を省略する。
【００７１】
本実施形態の送信器は、選択部が発電実行部と連動している以外は、前述した第１実施形態と同様である。なお、前述した第１実施形態と同様の構成には、同一符号を付してある。
【００７２】
本実施形態のリモコン１は、選択部５が有するスイッチ５１が、発電実行部７が有するボタン７１と連動している。具体的には、スイッチ５１を押し込むと、その途中でスイッチ５１が設定可能状態から送信可能状態へ切り替わるように構成されている。このような構成としては、例えば、図３に示すような構成とすることができる。
【００７３】
図３に示すように、ボタン７１にはピニオンギアが形成されており、回転子に形成されたラックギアに歯合している。そのため、ボタン７１を押し込むと回転子が回転し、発電部６が駆動する。また、ボタン７１と並んでスイッチ５１が設けられている。スイッチ５１は、ボタン７１を押し込んでいる途中（すなわち、ボタン７１の上死点と下死点と間）にてボタン７１と接触し（図３（ｂ）参照）、さらにボタン７１によって押し込まれることにより、その状態が切り替わる（図３（ｃ）参照）。
【００７４】
具体的には、スイッチ５１は、ボタン７１と接触していない状態（初期状態：図３（ａ）の状態）では、設定可能状態となっており、ボタン７１と接触し、ボタン７１によって押し込まれることにより、送信可能状態に切り替わる（図３（ｃ）の状態）。
【００７５】
また、本実施形態のリモコン１では、スイッチ５１が設定可能状態から送信可能状態へ切り替わると、それとほぼ同時に、放電部１１が蓄電部９に蓄えられた電力を放電するように構成されている。
【００７６】
このような構成では、ボタン７１を押し込むと発電部６から電力が発生し、この電力によって制御部１２が作動する。スイッチ５１の初期状態は、設定可能状態であるため、制御部１２は、機能選択部２の状態を検知し、その状態に対応する機能を記憶部３に記憶する。ボタン７１をさらに押し込むと、スイッチ５１の状態が送信可能状態に切り替わるとともに、放電部１１によって蓄電部９に蓄えられた電力が放電され、制御部１２の作動が停止する。ボタン７１をさらに押し込むと発電部６から電力が発生し、この電力によって制御部１２が再び作動する。この際、スイッチ５１は、送信可能状態であるため、制御部１２は、記憶部３に記憶された最新の機能を読み出して、その機能に対応する信号を送信部４から送信する。
【００７７】
以上のように本実施形態のリモコン１によれば、ボタン７１を１回操作するだけで、記憶部３への機能の書き込みと、送信部４からの信号の送信とを行うことができる。そのため、リモコン１の操作性がより向上する。
【００７８】
以上、本発明の送信器および機能設定方法について、図示の実施形態に基づいて説明したが、本発明はこれに限定されるものではない。例えば、本発明の送信器では、各部の構成は、同様の機能を発揮する任意の構成のものに置換することができ、また、任意の構成を付加することもできる。
【００７９】
また、前述した実施形態では、信号を無線で送信しているが、有線で送信してもよい。
また、前述した実施形態では、発電部としてモータを用いた形態を説明したが、発電部の構成は、電力を発生させることができれば特に限定されず、例えば、圧電素子を用い、この圧電素子を変形させることにより、電力を発生させるように構成されていてもよいし、ペルチェ素子等の熱電変換素子を用い、この熱電変換素子に温度差を与えることにより電力を発生させるようにしてもよい。
【符号の説明】
【００８０】
１‥‥リモコン
２‥‥機能選択部
２１‥‥スイッチ
２２‥‥スイッチ
３‥‥記憶部
４‥‥送信部
４１‥‥ＲＦコントローラ
４２‥‥アンテナ
５‥‥選択部
５１‥‥スイッチ
６‥‥発電部
７‥‥発電実行部
７１‥‥ボタン
８‥‥整流部（整流回路）
９‥‥蓄電部
１０‥‥変圧部
１１‥‥放電部
１２‥‥制御部
１００‥‥筐体
【図１】
2012239145.tif 000003
【図２】
2012239145.tif 000004
【図３】
2012239145.tif 000005